(57)【要約】【課題】  音声符号化／復号化が同時に実行できない装置で音声モニタ付き（音声を再生しながら）のアフレコを行う。【解決手段】  規格上定まっているアフレコフォーマットとは別のフォーマット（処理の軽いフォーマット）でアフレコ信号を一時的に記録し、アフレコ記録後に規格上定まっているフォーマットへ変換、復号化器の処理を簡略化して規格上定まっているフォーマットへ変換（復号化器がねている間に符号化を行う）、記録媒体の残量に応じてアフレコのモード（音声モニタあり／音声モニタなし／アフレコ禁止）を決定する。【選択図】        図１
2006065923.tif 000002
【特許請求の範囲】
【請求項１】
符号化された映像符号化信号と第１の音声符号化方式で符号化された第１の音声信号が多重化された多重化信号列として記録されている記録媒体から前記多重化信号列を再生する再生手段と、
前記再生手段により再生された多重化信号列中の第１の音声信号を復号する第１の音声復号手段と、
第２の音声信号を入力する音声入力手段と、
前記音声入力手段により入力された第２の音声信号を前記第１の音声符号化方式よりも演算量が少ない第２の音声符号化方式にて符号化する第２の音声符号化手段と、
前記音声符号化手段により符号化された第２の音声信号を前記記録媒体に記録する記録手段と、
前記第１の音声信号の代えて再生すべきアフレコ音声信号を記録するアフターレコーディングモードにおいて、前記再生手段による前記多重化信号列の再生処理と前記第１の音声復号手段による前記第１の音声信号の復号処理を行いながら、前記第２の音声符号化手段による符号化処理を行い、前記第２の符号化方式にて符号化された第２の音声信号を前記記録媒体に記録するよう前記第２の音声符号化手段と前記記録手段とを制御する制御手段とを備えることを特徴とする記録装置。
【請求項２】
前記第２の音声符号化方式にて符号化された音声信号を復号する第２の音声復号手段と、音声信号を前記第１の音声符号化方式にて符号化する第１の音声符号化手段とを備え、前記制御手段は更に、前記再生手段により再生された前記第２の音声信号を前記第２の音声復号手段により復号した後、この復号した第２の音声信号を前記第１の音声符号化手段により符号化し、再び前記記録媒体に記録するよう、前記第２の音声符号化手段と前記記録手段とを制御することを特徴とする請求項１記載の記録装置。
【請求項３】
前記記録手段は、前記第２の音声符号化方式にて符号化された第２の音声信号が記録されていた記録領域に対して、前記第１の音声符号化手段により符号化された第２の音声信号を記録することを特徴とする請求項２記載の記録装置。
【請求項４】
前記第２の音声符号化手段により符号化された前記第２の音声信号の記録を終了した後、この第２の音声信号を再生して前記第２の音声復号手段により復号すると共に前記第１の音声符号化手段による符号化を行って前記記録媒体に記録することを特徴とする請求項２記載の記録装置。
【請求項５】
前記記録媒体の未記録領域と前記第１または前記第２の音声符号化方式のビットレートを用いて前記未記録領域への記録可能時間を算出する算出手段を備えることを特徴とする請求項１記載の記録装置。
【請求項６】
前記制御手段は、前記記録媒体における未記録領域への記録可能時間と前記映像音声多重化信号の記録時間に応じて、アフターレコーディングの許可または禁止を決定することを特徴とする請求項５記載の記録装置。
【請求項７】
前記制御手段は第１の音声符号化方式に従って符号化した音声信号を前記未記録領域に記録したときの記録可能時間が、前記多重化信号列の記録時間よりも長い時、アフターレコーディングを許可することを特徴とする請求項６記載の記録装置。
【請求項８】
前記制御手段は更に、前記第２の音声符号化方式に従って符号化した音声信号を前記未記録領域に記録したときの記録可能時間が、前記多重化信号列の記録時間よりも短い時、前記第１の音声信号を再生することなく前記第２の音声信号をアフレコ音声として記録することを特徴とする請求項７記載の記録装置。
【請求項９】
前記記録手段は、タイムスタンプ情報を前記第２の音声信号に付加して記録することを特徴とする請求項１記載の記録装置。
【請求項１０】
前記記録手段は前記再生手段により再生された多重化信号列に同期して前記タイムスタンプ情報を記録することを特徴とする請求項１０記載の記録装置。
【請求項１１】
前記映像信号はＭＰＥＧ方式にて符号化されていることを特徴とする請求項１記載の記録装置。
【請求項１２】
前記第１の音声符号化方式における復号化の処理量は、符号化に要する処理量と同程度であることを特徴とする請求項１記載の記録装置。
【請求項１３】
前記第１の音声符号化方式は、ドルビーＡＣ３方式であることを特徴とする請求項１記載の記録装置。
【請求項１４】
前記第２の音声符号化方式は、ＰＣＭ（Ｐｕｌｓｅ  Ｃｏｄｅ  Ｍｏｄｕｌａｔｉｏｎ）方式であることを特徴とする請求項１記載の記録装置。
【請求項１５】
前記記録媒体は、光ディスクであることを特徴とする請求項１記載の記録装置。
【請求項１６】
前記記録媒体は、ランダムアクセス媒体であることを特徴とする請求項１記載の記録装置。
【発明の詳細な説明】
【技術分野】
【０００１】
本発明は記録装置に関し、特にアフターレコーディング処理に関する。
【背景技術】
【０００２】
現在、ディジタルビデオカメラのような撮像装置ではＤＶテープを記録媒体に用いている。このＤＶテープを記録媒体に持つディジタルビデオカメラにおいて、アフターレコーディング（以下アフレコ）を行うには、ＤＶテープにあらかじめ設けられているアフレコ領域に対して音声信号を記録すればよく、その実現手法についても数多くの特許が出願されている。
【０００３】
一方、ＤＶテープ以外の記録媒体として、ＤＶＤやＢｌｕ−ｒａｙディスクを始めとした光ディスク、ハードディスク、シリコンメモリなどが挙げられる。ランダムアクセス性やＰＣとの親和性を考慮した場合、ディジタルビデオカメラの記録媒体は光ディスクなどへ移行すると予想される。その際、光ディスクを記録媒体に持つディジタルビデオカメラにもＤＶテープと同様アフレコ機能への要求があると考えられる。
【０００４】
更に、ＤＶテープを記録媒体に用いた撮像装置では、記録／再生ヘッドの構造上、ＤＶテープに記録されている音声信号を再生しながらのアフレコ記録（音声モニタ付きのアフレコ）が困難であったが、ディスクを記録媒体に用いた撮像装置になると、音声モニタ付きのアフレコ記録が可能となる。
【０００５】
光ディスクに対して記録再生を行う撮像装置にてアフレコ記録を行う場合、光ディスクからの再生信号（以下、オリジナルストリームともよぶ）にアフレコする信号（以下、アフレコストリームともよぶ）を加算して、この信号を光ディスクに上書きまたは挿入記録する方法がある。なお、映像信号と音声信号が多重化されている場合は、これらを分離して、分離された信号に入力信号を加算して、再度多重化して追加記録する（例えば、特許文献１参照。）。
【０００６】
また、アフレコストリームを光ディスクに記録されているオリジナルストリームとは別の領域に記録してアフレコストリームのパケットとオリジナルストリームのパケット間でタイムスタンプが一致するように記録する方法がある（例えば、特許文献２参照。）。
【特許文献１】特開２００３−３２６０６号（第３頁）
【特許文献２】特開平１１−２９８８４５号（第５頁）
【発明の開示】
【発明が解決しようとする課題】
【０００７】
しかしながら、上記従来技術の構成では以下の問題が存在する。
【０００８】
従来技術である特許文献１ならびに特許文献２に示されている処理を実現しようとすると、オリジナルストリームの復号化／再生を行いながら、ディジタルビデオに具備されているマイクなどから入力される音声信号の符号化／記録を行うため、記録装置の内部では符号化処理と復号化処理を同時に行う必要がある。
【０００９】
音声信号の符号化方式として、最近では、ＰＣＭ（Ｐｕｌｓｅ  Ｃｏｄｅ  Ｍｏｄｕｌｅ）方式ではなく、ＭＰＥＧ−ＡｕｄｉｏやＤｏｌｂｙ−ＡＣ３といった高能率符号化方式が用いられるようになっている。これらの符号化方式はＰＣＭ方式に比べて演算処理量も多く、符号化／復号化処理を例えばＤＳＰなどのプロセッサで処理しようとすると、高いクロックでの動作が求められ消費電力の増加にもつながる。また、プロセッサによるソフトウエア処理ではなく、ハードウエアにより処理する場合であっても、符号化回路と復号化回路を同時に動作させる必要があるため、プロセッサ処理と同様の現象が起こる。
【００１０】
そこで、本発明は、この様な問題を解決し、音声信号を高能率符号化して記録する場合であっても、再生音声をモニタしながら容易にアフレコ記録を可能とする記録装置を提供することを目的とする。
【課題を解決するための手段】
【００１１】
この様な目的を達成するため、本発明では、符号化された映像符号化信号と第１の音声符号化方式で符号化された第１の音声信号が多重化された多重化信号列として記録されている記録媒体から前記多重化信号列を再生する再生手段と、前記再生手段により再生された多重化信号列中の第１の音声信号を復号する第１の音声復号手段と、第２の音声信号を入力する音声入力手段と、前記音声入力手段により入力された第２の音声信号を前記第１の音声符号化方式よりも演算量が少ない第２の音声符号化方式にて符号化する第２の音声符号化手段と、前記音声符号化手段により符号化された第２の音声信号を前記記録媒体に記録する記録手段と、前記第１の音声信号の代えて再生すべきアフレコ音声信号を記録するアフターレコーディングモードにおいて、前記再生手段による前記多重化信号列の再生処理と前記第１の音声復号手段による前記第１の音声信号の復号処理を行いながら、前記第２の音声符号化手段による符号化処理を行い、前記第２の符号化方式にて符号化された第２の音声信号を前記記録媒体に記録するよう前記第２の音声符号化手段と前記記録手段とを制御する制御手段とを備える。
【発明の効果】
【００１２】
本発明によれば、記録媒体から再生された音声信号をモニタしながら、演算量が少ない符号化処理にて符号化した音声信号をアフレコ音声として記録することができる。
【発明を実施するための最良の形態】
【００１３】
以下に本発明を実施するための最良の形態を、実施例に基づいて説明する。
【実施例１】
【００１４】
第１の実施例を図に基づいて説明する。図１は実施例１おける全体システム構成図であり、図２は本実施形態を説明するフローチャートであり、図３は第１の実施例を説明するための記録媒体図であり、図４ならびに図５はアフレコ実行時における本装置の各ブロックの動作状態を示す図である。
【００１５】
第１の実施例は、映像信号をＭＰＥＧ２、音声信号ならびにアフレコ信号をＡＣ３で符号化して光ディスクなどの記録媒体に記録する形態であって、音声信号の符号化／復号化同時実行可能なスペックを持たないディジタルビデオカメラにおいても記録媒体に記録されている音声信号を再生しながらアフレコを行うための好適な実施形態を示す。
【００１６】
図１において、１０１は撮像部、１０２は撮像部１０１からの映像信号をＭＰＥＧ方式で符号化すると共に、再生時においては多重化処理部１０４からの符号化映像信号を復号する映像符号化処理部、１０３は撮像部１０１からの映像、または、再生された映像を表示する表示部、１０４は記録時には符号化された映像信号と音声信号とを所定量のパケット単位に多重して多重化信号列を生成し、再生時には再生された多重化信号列から映像信号と音声信号のパケットを分離して出力する多重化処理部、１０５は記録媒体１０６に対して多重化信号列や後述のアフレコ音声信号を記録再生する記録再生部、１０６は光ディスクや半導体メモリカードなど、ランダムアクセス可能な記録媒体である。なお、本形態では、記録媒体１０６から多重化信号列を再生しながら、実質的に同時に後述のアフレコ音声信号を記録可能である。
【００１７】
また、１０７はマイク、１０８はドルビーＡＣ３フォーマットやＭＰＥＧ２−ＡＡＣフォーマットなどの高能率符号化方式により音声信号を符号化すると共に、高能率符号化された音声信号を復号して出力する第１の音声符号化処理部、１０９は音声信号をＰＣＭフォーマットで符号化すると共に、ＰＣＭフォーマットで符号化された音声信号を復号する第２の音声符号化処理部、１１０は第１の音声符号化処理部１０８または第２の音声符号化処理部１０９で符号化された音声信号の一方を選択して多重化処理部１０４に出力すると共に、多重化処理部１０４からの音声信号のうち、高能率符号化された音声信号（以下第１の音声信号）とＰＣＭ符号化された音声信号（以下第２の音声信号）を分離して出力する音声選択部、１１１は復号された音声信号を出力するスピーカ、１１２は装置全体を制御するシステムコントローラ、１１３は各種のスイッチを備えた操作部である。
【００１８】
次に本装置の動作について、図１のシステム構成図と図３の記録媒体図を交えながら図２のフローチャートを用いて説明する。
【００１９】
現在、記録媒体１０６には図３に示すような映像音声多重化信号（ｆｉｌｅ＿１〜ｆｉｌｅ＿ｎ  図３における３０１〜３０４）が記録されており、３０５に示す空き領域が存在するものとする。
【００２０】
ステップＳ２０１において、本装置利用者が本装置における記録媒体１０６に記録されている映像音声多重化信号３０４に対してアフレコ命令を行う。
【００２１】
ステップＳ２０２において、映像音声多重化信号３０４の記録時間３０６（ｎ＿ｔｉｍｅ）を算出する。この記録時間算出方法は、映像音声多重化信号３０４を記録する際に本装置側で記録時間を測定して記録媒体１０６の一部に記録しておき、記録媒体１０６から読み出して算出するか、映像音声多重化信号３０４における音声信号の総ビット数と符号化ビットレートから算出する。
【００２２】
ステップＳ２０３において、記録媒体１０６の空き領域３０５のビット数を算出する。
【００２３】
ステップＳ２０４において、記録媒体１０６の空き領域３０５にＰＣＭフォーマットで音声信号を記録した場合の記録時間を算出する。ここで、記録媒体１０６の空き領域３０５のビット数をｅｘｔｒａ＿ｂｉｔ［ｂｉｔ］とすると、ＰＣＭフォーマットの符号化ビットレートはサンプリング周波数により多少の違いはあるものの、約１．５Ｍｂｐｓであるので、記録媒体１０６の空き領域３０５へＰＣＭ信号が記録できる時間３０７（ｐｃｍ＿ｔｉｍｅ）は、
ｐｃｍ＿ｔｉｍｅ［ｓｅｃ］＝ｅｘｔｒａ＿ｂｉｔ／１．５Ｍ
と算出される。
【００２４】
ステップＳ２０５において、記録媒体１０６の空き領域３０５にＡＣ３フォーマットで音声信号を記録した場合の記録時間を算出する。ステップＳ２０４と同様に、記録媒体１０６の空き領域３０５のビット数をｅｘｔｒａ＿ｂｉｔ［ｂｉｔ］、ＡＣ３フォーマットの符号化ビットレートをａｃ３＿ｂｒｔ［ｂｉｔ／ｓｅｃ］とすると、記録媒体１０６の空き領域３０５へＡＣ３信号が記録できる時間３０８（ａｃ３＿ｔｉｍｅ）は
ａｃ３＿ｔｉｍｅ［ｓｅｃ］＝ｅｘｔｒａ＿ｂｉｔ／ａｃ３＿ｂｒｔ
と算出される。
【００２５】
次にステップＳ２０２からＳ２０５において算出した各パラメータの値に応じて以下の動作を行う。
【００２６】
ステップＳ２０６において、記録媒体１０６の空き領域３０５へＡＣ３信号が記録できる時間３０８が映像音声多重化信号３０４の記録時間３０６よりも短いと判定された場合、映像音声多重化信号３０４にアフレコを行うための記録媒体１０６の容量が不十分である。よって、この場合映像音声多重化信号３０４へのアフレコは禁止状態とする。なお、このモードをアフレコ禁止モードとよぶ。
【００２７】
ステップＳ２０６において、記録媒体１０６の空き領域３０５へＡＣ３信号が記録できる時間３０８が映像音声多重化信号３０４の記録時間３０６よりも長いと判定された場合、映像音声多重化信号３０４にアフレコを行うための記録媒体１０６の容量は十分にある。よって、この場合映像音声多重化信号３０４へのアフレコは可能状態となる。
【００２８】
ステップＳ２０６において、映像音声多重化信号３０４へのアフレコが可能状態になったとき、記録媒体１０６の空き領域３０５への音声信号記録時間を考慮しながらアフレコを行うモードを切り替える。
【００２９】
ステップＳ２０７において、記録媒体１０６の空き領域３０５へＰＣＭ信号が記録できる時間３０７が映像音声多重化信号３０４の記録時間３０６よりも短いと判断された場合、記録媒体１０６の空き領域３０５には映像音声多重化信号３０４と同じ時間分のＰＣＭ信号を記録することができない。このアフレコモード時ではアフレコ音声信号をＰＣＭフォーマットで符号化して記録していくが、そのＰＣＭ信号を記録する領域が存在しなくなるため直接ＡＣ３フォーマットで符号化せざるを得ない。よって、ＡＣ３の符号化／復号化が同時に行えない本装置では映像音声多重化信号３０４の音声信号を再生できない。つまり、映像音声多重化信号３０４に対してアフレコを行う際は音声モニタがない状態でアフレコを行うことになるため、映像音声多重化信号３０４に多重化されている音声信号の再生は行わず映像信号のみを再生する。本装置利用者は、ディジタルビデオカメラに具備されているビューアなどの映像信号を見ながら音声信号の再生音がない状態で音声信号のアフレコを行うことになる。なお、このモードを音声モニタ無しアフレコモードとよぶ。
【００３０】
このときの本装置における音声符号化器ならびに音声復号化器の動作について図４を用いて説明する。４０１はアフレコ状態であり、本装置にアフレコ命令があった時にｈｉｇｈになる。４０２は音声復号化器の状態であり、４０３は第１の音声符号化処理部１０８の状態であり、４０４は第２の音声符号化処理部１０９の状態であり、４０２、４０３、４０４はそれぞれの符号化処理、ならびに復号化処理が実行されている時にｈｉｇｈになる。また、アフレコ開始点からアフレコ終了点までの時間は映像音声多重化信号３０４の記録時間と同じであるため、図４においてｎ＿ｔｉｍｅと表記してある。
【００３１】
本装置に対して、アフレコ命令４０１がｌｏｗの時は映像音声多重化信号３０４の音声を再生せずアフレコも行わないため、すべての音声符号化／復号化器は処理を行っていない。アフレコ命令４０１がｈｉｇｈの時は、映像音声多重化信号３０４の音声は再生せず、第２の符号化器でアフレコ信号を符号化しているので第２の音声符号化処理部１０９のみが処理を行っていることとなる。
【００３２】
また、ステップＳ２０７において、記録媒体１０６の空き領域３０５へＰＣＭ信号が記録できる時間３０７が映像音声多重化信号３０４の記録時間３０６よりも長いと判断された場合、記録媒体１０６の空き領域３０５には映像音声多重化信号３０４よりも長い時間分のＰＣＭ信号を記録することができる。このアフレコモード時では映像音声多重化信号３０４の音声信号を再生しながらアフレコ音声信号を一旦ＰＣＭフォーマットのような処理の軽い符号化方式で符号化した第２の音声信号を記録媒体１０６に記録しておく。このとき、映像音声多重化信号３０４に対してアフレコを行う際は音声モニタがある状態でアフレコを行うことになるため、映像音声多重化信号３０４に多重化されている音声信号と映像信号の両方を再生する。本装置利用者は、ディジタルビデオカメラに具備されているビューアなどの映像信号を見ながら、更に音声信号の再生音を聞いた状態で音声信号のアフレコを行うことになる。
【００３３】
この様にアフレコが終了した時点で、システムコントローラ１１２は記録再生部１０５を制御し、記録媒体１０６の空き領域３０５に記録された第２の音声信号を読み出す。再生された第２の音声信号は多重化処理部１０４を介して音声選択部１１０に出力される。音声選択部１１０はこの第２の音声信号を第２の音声符号化処理部１０９に出力し、第２の音声符号化処理部１０９にてＰＣＭ符号化された第２の音声信号を復号して第１の音声符号化処理部１０８に出力する。そして、第２の音声信号は第１の音声符号化処理部１０８により映像音声多重化信号３０４に多重化されている音声信号と同じフォーマットであるＡＣ３フォーマットで符号化され、音声選択部１１０を介して多重化処理部１０４に出力される。多重化処理部１０４はＡＣ３符号化された第２の音声信号を所定量のパケット単位に分割して記録再生部１０５に送り、記録再生部１０５により記録媒体１０６に記録する。このとき、元のＰＣＭ符号化された第２の音声信号が記録されていた領域に上書き記録することも可能である。なお、このモードを音声モニタ付きアフレコモードとよぶ。
【００３４】
このときの本装置における音声符号化回路ならびに音声復号化回路の動作について図５を用いて説明する。５０１はアフレコ状態であり、本装置にアフレコ命令があった時にｈｉｇｈになる。５０２は第１の音声符号化処理部１０８による復号処理の状態であり、５０３は第１の音声符号化処理部１０８による符号化処理の状態であり、５０４は第２の音声符号化処理部１０９による符号化処理の状態であり、５０２、５０３、５０４はそれぞれの符号化処理ならびに復号化処理が実行されている時にｈｉｇｈになる。また、アフレコ開始点からアフレコ終了点までの時間は映像音声多重化信号３０４の記録時間と同じであるため、図５においてｎ＿ｔｉｍｅと表記してある点は図４と同じである。
【００３５】
本装置に対して、アフレコ命令５０１がｌｏｗの時は映像音声多重化信号３０４の音声を再生してアフレコは行わないため、第１の符号化処理部１０８による復号処理のみを行っている。アフレコ命令５０１がｈｉｇｈの時は、映像音声多重化信号３０４の音声を再生し、第２の符号化処理部１０９でアフレコ信号をＰＣＭフォーマットで符号化しているので、第１の音声符号化処理部１０８による復号処理と第２の音声符号化処理部１０９による符号化処理を行い、第１の音声符号化処理部１０８による符号化処理を行っていなことになる。アフレコが終了した時点で、第１の音声符号化処理部１０８による復号処理と第２の音声符号化処理部１０９による符号化処理は終了して、記録媒体１０６から読み出した第２の音声信号を第１の音声符号化処理部１０８で符号化するので、第１の音声符号化処理部１０８による符号化処理を行っている。
【実施例２】
【００３６】
第２の実施例を図に基づいて説明する。図６は実施例２おける全体システム構成図であり基本的な構成は第１の実施例と同じである。図７はアフレコ実行時における本装置の各ブロックの動作状態を示す図である。
【００３７】
第２の実施例は、第１の実施例と同様のディジタルビデオカメラにおいて記録媒体に記録されている音声信号を再生しながらアフレコを行うための好適な実施形態を示す。
【００３８】
図６において、６０１はディジタルビデオカメラに具備されているマイクであり、６０２はマイク６０１から得られたアナログ音声信号をディジタル化するＡ／Ｄ変換器であり、６０３ならびに６０６はスイッチであり、６１３ならびに６１４は内部メモリであり、６０４は第１の音声符号化器であり、６０５は第２の音声符号化器であり、音声信号が第１の音声符号化器６０４ならびに第２の音声符号化器６０５において符号化されて一旦内部メモリ６１４に保持される。また第１の音声符号化器６０４で符号化された音声符号化信号は一旦内部メモリ６１３ならびにメモリ６１４に保持される。なお、第１の音声符号化器６０４はドルビーＡＣ３フォーマットやＭＰＥＧ２−ＡＡＣフォーマットを始めた高能率符号化方式で符号化する音声符号化回路であり、通常撮影時は第１の音声符号化器６０４を用いて音声符号化を行うものとし、第２の実施例では第１の音声符号化器６０４における符号化方式はＡＣ３であるものとする。また第２の音声符号化回路６０５はＰＣＭフォーマットで符号化する音声符号化回路である。６０７はディジタルビデオカメラ装置内部に存在する内部メモリであり、第１の音声符号化器６０４ならびに第２の音声符号化器６０５において符号化された符号化信号を一時的に保持する。６０８は映像信号、音声信号ならびに映像信号と音声信号を多重化した多重化信号を記録するための記録媒体であり、内部メモリ６０７に保持された音声符号化信号と映像符号化信号が図示しない多重化器で多重化されて記録媒体６０８に記録される。
【００３９】
また６０９は音声復号化器であり、記録媒体６０８に記録されている音声信号ならびに図示しない多重分離回路で多重化信号を分離した音声信号を復号化する。６１０はＤ／Ａ変換器であり、６１１はディジタルビデオカメラに具備されているスピーカであり、音声復号化器６０９で復号されたディジタル音声信号をＤ／Ａ変換器６１０でアナログ音声信号に変換しスピーカ６１１を通じて音声信号を再生する。
【００４０】
また、６１２はシステムコントローラであり、内部メモリ６０７、６１３、６１４を含む本装置に存在するメモリや記録媒体６０８への書き込みや読み出しなどの本装置全体を制御する機能の他に、スイッチ６０３ならびにスイッチ６０６を制御する機能を持ち、音声信号を符号化する際に、第１の音声符号化器６０４と第２の音声符号化器６０５の切り替えを行う。
【００４１】
次に本装置の動作について、図６のシステム構成図と図３の記録媒体図と図７の動作チャートを用いて説明する。なお、アフレコ禁止モードとモニタ無しアフレコ記録モードは第１の実施例と同じ構成になるので省略する。
【００４２】
音声モニタ付きアフレコ記録モード時における動作について図７を用いて説明する。７０１はアフレコ状態であり、本装置にアフレコ命令があった時にｈｉｇｈになる。７０２は音声復号化器６０９の状態であり、７０３は第１の音声符号化器６０４の状態であり、７０４は第２の音声符号化器６０５の状態であり、７０２、７０３、７０４はそれぞれの符号化器ならびに復号化器が実行されている時にｈｉｇｈになる。また、アフレコ開始点からアフレコ終了点までの時間は映像音声多重化信号３０４の記録時間と同じであるため、図７においてｎ＿ｔｉｍｅと表記してある点は図４と同じである。
【００４３】
本装置に対して、アフレコ命令があると７０１がｌｏｗになり、音声復号化器６０９のみが処理を行い、映像音声多重化信号３０４の音声のみを再生している。このとき、音声復号化器６０９の処理量は通常復号時の約半分になるように簡略化する。例えば１アクセスユニットごとに間引いた符号化データに対して復号化を行う手法があるが、その実現手法はここでは限定しない。なお、１アクセスユニットごとに間引く手法では、再生音声が途切れた音声になってしまうので、オーディオのインターフェース部分でうまく調整をする必要がある。
【００４４】
アフレコ命令７０１がｈｉｇｈになった時、映像音声多重化信号３０４の符号化音声信号を音声復号化器６０９の簡易処理で再生しながら、アフレコ音声信号を第２の音声符号化器６０５の処理でＰＣＭフォーマットとして記録媒体６０８に記録する。このままＰＣＭ信号を記録媒体６０８に記録し続けていき、記録媒体６０８に記録されたＰＣＭ信号の符号量が規定量であるＭＡＸ値７０６に達すると、７０３がｈｉｇｈになり記録媒体６０８に記録されているＰＣＭ信号は記録媒体６０８から読み出され、第１の音声符号化器６０４でＡＣ３フォーマットとして記録媒体６０８に書き戻される。
【００４５】
このとき、音声復号化器６０９が動作しているため、符号化器と復号化器が同時実行できない装置においては、第１の音声符号化器６０４は通常符号化時の約半分のスペックでしか動作することができない。そのため、記録媒体６０８からのＰＣＭ信号の読み出し量は、記録媒体６０８への書き込み量の半分の量で読み出して分割して符号化を行うことになる。
【００４６】
この状態で、アフレコ終了（あるいはアフレコ一時停止）の命令が与えられるまで７０２はｈｉｇｈのままで音声を再生し続け、記録媒体６０８に記録されているＰＣＭ信号のうちＡＣ３フォーマットへ符号化された信号は記録媒体６０８から消されたものとして考えると、７０５のように、記録媒体６０８におけるＰＣＭの記録領域がゼロになる地点がある。その地点は、ＡＣ３へ変換すべきＰＣＭ信号が存在しなくなるため、第１の符号化器６０４は停止する。再び本装置にアフレコ命令が与えられ７０１がｈｉｇｈになれば上記動作を繰り返す。
【００４７】
本装置にアフレコ終了命令が与えられると７０１はｌｏｗになり、音声復号化器６０９は停止して音声信号の再生は終了するが、７０５がゼロになるまでは第１の音声符号化器６０４は動作し続け、ゼロになった時点でアフレコが終了したことになる。
【００４８】
図７において、記録媒体３０８におけるＰＣＭで記録された領域７０５は、記録媒体３０８のうち、ＰＣＭ信号が記録されている領域を示すが、アフレコ命令と同時に上昇するが、ＭＡＸ値７０６に達するとＡＣ３への変換を始めるため、記録媒体３０８へのＰＣＭ記録領域の上昇カーブがゆるくなる。また、アフレコ停止または終了命令が与えられると、７０５は減少していくが、そのカーブはアフレコ開始地点のカーブよりもゆるいものとなる。
【００４９】
以上の制御を行うことで音声モニタ付きのアフレコを実現できる。
【図面の簡単な説明】
【００５０】
【図１】第１の実施例を説明するシステム構成図
【図２】第１の実施例においてアフレコモード時における動作フローチャート
【図３】第１、２の実施例において記録媒体のファイル構成図
【図４】第１の実施例においてアフレコモード時における各ブロックの動作チャート
【図５】第１の実施例においてアフレコモード時における各ブロックの動作チャート
【図６】第２の実施例を説明するシステム構成図
【図７】第２の実施例においてアフレコモード時における各ブロックの動作チャート
【符号の説明】
【００５１】
１０１  撮像部
１０２  映像符号化処理部
１０３  表示部
１０４  多重化処理部
１０５  記録再生部
１０６  記録媒体
１０７  マイク
１０８  第１の音声符号化処理部
１０９  第２の音声符号化処理部
１１０  音声選択部
１１１  スピーカ
１１２  システムコントローラ
１１３  操作部
３０１〜３０４  映像音声多重化信号
６０１  マイク
６０２  Ａ／Ｄ変換器
６０３  スイッチ
６０４  第１の音声符号化器
６０５  第２の音声符号化器
６０６  スイッチ
６０７  内部メモリ
６０８  記録媒体
６０９  音声復号化器
６１０  Ｄ／Ａ
６１１  スピーカ
６１２  システムコントローラ
６１３  内部メモリ
６１４  内部メモリ
【図１】
2006065923.tif 000003
【図２】
2006065923.tif 000004
【図３】
2006065923.tif 000005
【図４】
2006065923.tif 000006
【図５】
2006065923.tif 000007
【図６】
2006065923.tif 000008
【図７】
2006065923.tif 000009